(57)【要約】【課題】ピッキングされても安易に完全解錠されない不正侵入防止のための複数電気錠を提供する。【解決手段】複数のシリンダ鍵１８、１９の解錠をリミットスイッチ２７、２８で検知し、どちらか一つのシリンダ鍵が解錠された時点で、リレー３１、３２を利用したシーケンス回路により、タイマー２９を起動させ、ピッキング作業に猶予を与えないように設定した制限時間以内にもう片方の鍵が解錠されないと、先に解錠された鍵が電動モータに連結された歯車１２か、歯車１３を利用して閂部材３４、又は閂部材３５を再び突出させて施錠し、解錠を困難にさせる。【選択図】図１
2004027481.tif 000002
【特許請求の範囲】
【請求項１】
一つの扉に複数の電気鍵を設け、一つの鍵が解錠されてから、設定された制限時間以内に全ての鍵が解錠されなければ、先に解錠された鍵が再び施錠されることを特徴としたピッキング対策複数電気錠。
【請求項２】
片方の鍵が解錠された時点で駆動する任意調整可能なタイマーと、複数の電気錠を駆動する電動駆動部と、電動駆動部による施錠動作を保持する為の自己保持回路と、タイマーの制限時間以内に全ての鍵が解錠されたかどうかを判別し、電動駆動部を制御する両解錠判別回路とを備えたことを特徴とする請求項１記載のピッキング対策複数錠。
【発明の詳細な説明】
【０００１】
【発明の属する技術分野】本発明は、一つの扉に複数の電気錠を取り付けてなるピッキング対策用の電気鍵に関するものである。
【０００２】
【従来の技術】従来、複数錠（以後複数とは２個として話しを進める）として、１つの扉に２個の機械式錠前を取り付けるものや、既存の１つの機械式錠前に新たに追加して補助錠を取り付ける方法、又は機械式錠前１個と電気式錠前１個を組み合わせたものが普及している。上記の方法は、不正侵入防止という目的で、解錠するのに手間がかかるという利点があり、防犯性を高める効果がある。
【０００３】
【発明が解決しようとする課題】しかしながらピッキング対策として考えた場合、これら上記では、１個の錠前を解錠するよりも多少の時間や手間が掛かっても、最終的に２個の錠前を解錠されれば開いて侵入されてしまう。本発明は、このようなピッキングによる不正侵入防止のため、１つの扉において、主に２つの電気錠を取り付けると共に、上記従来の問題を解決したピッキング対策用複数電気錠を提供する。
【０００４】
【課題を解決するための手段】この問題を解決するために、請求項１の発明は、一つの扉に複数の電気鍵を設け、一つの鍵が解錠されてから、設定された制限時間以内に全ての鍵が解錠されなければ、先に解錠された鍵が再び施錠されることを特徴とし、安易に解錠されずに不正侵入を防止するピッキング対策複数電気錠を提供する。
【０００５】請求項２の発明は、請求項１記載のピッキング対策複数錠において、片方の鍵が解錠された時点で駆動する任意調整可能なタイマーと、複数の電気錠を駆動する電動駆動部と、電動駆動部による施錠動作を保持する為の自己保持回路と、タイマーの制限時間以内に全ての鍵が解錠されたかどうかを判別し、電動駆動部を制御する両解錠判別回路とを備えたことを特徴とする。
【０００６】
【発明の実施の形態】本発明の実施の形態について、図１〜図７を用いて説明する。図１は複数電気錠付近の一実施形態による施錠状態の屋外側正面切り欠き断面図（取手３は、公知である為、断面図は図示しない。）を示し、図２は図１の屋内側外観図である。また、図３は複数電気錠の施解錠駆動部分斜視図であり、図４は複数電気錠の施解錠駆動部品の分解斜視図である。
【０００７】屋外側は、図１のように鍵シリンダ１８、１９と取手３が装備されている。また屋内側は、図２のように手動操作によって施錠、解錠をする施解錠ツマミ３６、３７と取手３と電源コネクター５４、及びタイマー２９と制限時間を調節する設定時間調整ダイヤル３８が装備されている。
【０００８】本発明の電気錠の実施形態例として図３、４で説明する。本発明の電気錠は、主に鍵シリンダと施解錠ツマミなどから構成される手動駆動部分と、モーターなどから構成される電動駆動部、リミットスイッチから構成される閂部材位置検出部、タイマーと、リレーのシーケンス回路からなる制御部から構成される。
【０００９】手動駆動部とは、図４において、屋外側から施解錠される鍵シリンダ１８、１９や屋内側からの施解錠ツマミ３６、３７の回転運動を利用した、手動で施解錠する部分をいう。手動駆動部は、図３における鍵シリンダ１８、１９に結合された嵌合突起４２、４３が、係合リング４４、４５と係合筒４６、４７に連結され構成されている。よって鍵シリンダ１８、１９に鍵を入れて回転させることにより、嵌合突起４２、４３が回転し、この回転に伴い係合リング４４、４５の突起５５、５６に引っかかり、係合筒４６、４７も回転し、シリンダカム２０、２１を円弧運動（図１のＡ、Ｂの方向への運動）させる。
【００１０】一方、屋内側には、図４の施解錠ツマミ３６、３７と接続されている回転軸突起５０、５１を鍵箱１の穴に貫通させ、シリンダカム２０，２１を鍵箱壁面内部側に重ね合わせ、更にシリンダカム２０、２１に開いている軸孔４８、４９にも貫通させる。これにより鍵箱内部側に回転軸突起５０、５１が現れる。その回転軸突起５０、５１には、固定支持棒５２、５３を通す穴が開いており、鍵壁２とシリンダカム２０、２１を、固定支持棒５２、５３によって、回転軸突起５０、５１の穴に通して支持する。これにより鍵箱内側の回転軸は、十字形状となり、図５の状態となる。係合筒４６、４７の底面は、十字形状の穴が開いており、支持棒５２、５３と回転軸突起５０、５１の組合わさった十字形状と結合する。
【００１１】この構造により鍵シリンダ１８、１９や、施解錠ツマミ３６、３７の手動施解錠動作により、シリンダカム２０、２１が円弧運動を行うことによって、摺動板４、５は水平運動（図１のａ、ｂの方向への運動）になり、閂部材３４、３５を突出（図１のＡ、ａへの運動）または退避（図１のＢ、ｂへの運動）させる。
【００１２】電動駆動部は、どちらか片方の鍵が解錠されて、制限時間に達したら、再び施錠させる。更に、片方の鍵の施錠し忘れを防止する為、両方の鍵が解錠状態から片方が手動施錠された時、もう片方の鍵を施錠させる。
【００１３】電動駆動部の施錠動作は、図３の電動モータ４０、４１のシャフト１０、１１に連結した歯車１２、１３とかみ合うラック歯車２２、２３を動作させることにより、閂部材３４、３５を突出させる。尚、電動モータ４０、４１は、通電時には反時計回りに回転し、不通電時には手動により両方向に回転する。
【００１４】閂部材位置検出部は、施錠状態から解錠動作直後に導通する図１における第１開口端リミットスイッチ２５と第２開口端リミットスイッチ２６（開口端とは、閂部材３４、３５が突出または退避するための四角孔付近の位置をいう）と、完全に解錠した状態に導通する第１終端リミットスイッチ２７、第２終端リミットスイッチ２８（終端とは閂部材３４、３５が完全に退避し、摺動板４，５が第１終端リミットスイッチ２７や第２終端リミットスイッチ２８に接触する位置をいう）からなる。
【００１５】シーケンス回路は、一つのタイマー２９と、各電気錠に１つずつ４つのＣ接点内蔵のリレー３１、３２を使用する。タイマー２９は、図２のようにタイマー本体に設定時間を調整する設定時間調整ダイヤル３８が内蔵されており、任意に時間設定できるようになっている。リレー３１、３２は、図１のように本電気錠内に内蔵し、施錠動作に伴う電動モータ４０、４１の動作を完全に施錠するまで駆動させる自己保持回路を形成させたり、両方の鍵が解錠されたかを判定する両解錠判定回路を形成する。
【００１６】本発明の電気錠の動作を更に詳しく説明するため、図６〜図７を使って説明する。図６（ａ）は施錠状態を示し、（ｂ）は片方上側の電気錠が解錠される途中状態、または施錠される途中の状態を示し、（ｃ）は完全に解錠された状態を示す。
【００１７】まず仮に上側の鍵を解錠する場合は、施錠状態（ａ）から、シリンダ鍵１８や、施解錠ピン３６によってシリンダカム２０が図６（ｂ）のＢ方向へ動き始める。それに伴って駆動ピン８がカム溝４ｂにはまって摺動板４を移動させ、図６（ｂ）のｂ方向へ移動する。この動作の途中に、第一開口端リミットスイッチ２５に突起４ｄが接触し、導通する。その後板バネ１６に突起４ｃが引っかかり、突起４ｃが板バネ１６の突起部分を越えて完全解錠状態（ｃ）になったところで摺動板４を保持し、終端リミットスイッチ２７を押し、解錠完了となる。もう片方の下側の鍵も同様の動作を行う。
【００１８】この状態遷移を電気的に説明する。図７は、本発明電気錠の一実施形態による電気回路図を示しており、１個のタイマーと２個のリレー及び各電気錠のリミットスイッチから構成される。
【００１９】図７のａ、ｃは両電気錠の自己保持回路、ｂ、ｄは電動駆動回路、ｅは両解錠判別回路になる。図７の３１、３２はリレーコイルに相当し、２９はタイマーコイルに相当する。それぞれのリレーの３１ａ、３２ａはＡ接点であり、通常接点が開いており、各コイルに通電すると接点が閉じる。また３１ｂ、３２ｂはＢ接点であり、通常接点が閉じており、各コイルに通電すると接点が開く。タイマー２９に通電すると設定時間をカウントし、カウント終了後接点を閉じる。
【００２０】自己保持回路ａ、ｃは、主に電気錠が完全施錠するまで電動駆動回路ｂ、ｄを起動し、電動モータ４０、４１を駆動させ続ける役目をする。両解錠判別回路ｅは、片方の電気錠のみ解錠状態になったときタイマー２９を起動し、両方の電気錠が、施錠状態か、解錠状態のときは起動しないシーケンス回路になっている。
【００２１】まず、図６の解錠途中状態（ｂ）の場合では、開口端リミットスイッチ２５が導通し、完全解錠状態（ｃ）になると終端リミットスイッチ２７も導通状態になるため、図７自己保持回路ａのリレー３１のコイルに通電し、３１ａの接点は全て閉じた状態になり、自己保持状態となる。
【００２２】図７の両解錠判別回路ｅは、接点３１ａが閉じ、３２ｂがＢ接点になっているため、タイマー２９のコイルが通電し、電動モーター４０、４１に直結しているタイマー接点が、設定時間後閉じる。従って、電動駆動回路ｂにおいて閉じた接点３１ａと閉じたタイマー接点を経由して、電動モーター４０に電流が流れて駆動する。電動モーター４１は、接点３２ａが閉じていないので駆動しない。
【００２３】つまり片方の電気錠が解錠された場合のみタイマーに通電し、設定時間経過後、解錠された電動モーターのみ駆動することになる。
【００２４】駆動した電動モータの回転によって施錠動作に入り、図６（ｂ）の摺動板４は、かみ合っている歯車１２が反時計回りに回転する為、開口端側（図６（ｂ）のａ方向）へ移動する。よって終端リミットスイッチ２７は、摺動板４と離れる為、不導通となる。しかし第一開口端リミットスイッチ２５がまだ突起４ｄと接触しているため、図７の自己保持回路ａの接点２５が閉じて、かつ接点３１ａも閉じており、コイルに電流が流れ、自己保持状態が続いているので電動モーター４０はまだ駆動し続ける。
【００２５】板バネ１６の突起を越えて図６（ａ）の完全な施錠状態に戻った時、初めて第一開口端リミットスイッチ２５が不導通になり、自己保持回路ａが解除され電動モータ４０が停止する。
【００２６】また下側電気錠のみを解錠するときも同様に、解錠途中状態に第一開口端リミットスイッチ２６が導通になり、更に完全解錠状態に終端リミットスイッチ２８が導通するので、図７ｃのリレー３２のコイルに電流が流れ、全ての接点３２ａが閉じ、自己保持回路ｃが起動する。よって両解錠判定回路ｅの閉じた接点３２ａとＢ接点３１ｂを経由してタイマー２９のコイルが通電し、設定時間後タイマー接点が閉じて電動駆動部ｄの電動モータ４１が駆動する。
【００２７】施錠途中状態では、第一開口端リミットスイッチ２６が不導通になるまで自己保持回路ｃが起動しているので電動モーター４１は回り続け、不導通になると自己保持回路ｃが解除されて電動モーター４１は停止する。
【００２８】本発明の電気錠が両方とも完全に解錠されるためには、片方の電気錠が解錠されたことによりタイマーが起動し、あらかじめ設定された時間以内にもう片方の電気錠が解錠されなければならない。この場合の動作も図６、７を用いて説明する。
【００２９】片方の上側電気錠が解錠された状態、つまり図７の自己保持回路ａが起動して接点３１ａが閉じ、３１ｂが開いた状態において、両解錠判定回路ｅが起動し、タイマー２９が通電中の場合は、設定時間をカウントしている最中であり、まだタイマー接点を閉じないので電動モーターは回らない。設定時間内に下側電気錠を完全解錠することにより、第二開口端リミットスイッチ２６と第二終端リミットスイッチ２８が導通する為、図７の自己保持回路ｃが起動する。よって接点３２ａを全て閉じるが、両解錠判定回路ｅのＢ接点３１ｂ、３２ｂが、両方共開いてしまう為、タイマー２９は通電しなくなり、設定時間のカウントを停止し、タイマー接点は閉じず、両電動モーター４０，４１は回らない。よって両電気錠は、完全に解錠状態となる。
【００３０】両電気錠が解錠状態から施錠する場合は、どちらか一つの電気錠を施錠すれば良い。両解錠判定回路ｅは、両方の電気錠が解錠状態のとき、Ａ接点３１ａ、３２ａは接点が閉じた状態で、Ｂ接点３１ｂ、３２ｂは接点が開いた状態になっており、タイマー２９は通電していない。
【００３１】仮に上側電気錠を手動施錠する場合では、まず鍵を回し始めると第一終端リミット２７が不導通になり、完全に施錠されると第一開口端リミットスイッチ２５も不導通になると同時に上側電気錠の施錠が完了する。この瞬間図７の自己保持回路ａが解除され、リレー３１ａの接点は全て開き、３１ｂの接点は閉じる。
【００３２】上側電気錠が施錠状態になると、接点３２ａは閉じたままなので、両解錠判定回路ｅにおける３２ａと３１ｂを経由して、タイマー２９は、通電状態になる。従ってタイマー接点が閉じ、図７の電動駆動回路ｄが起動し、電動モーター４１が回る。これよりどちらかの電気錠を施錠することによって、もう片方の電気錠も施錠されることになり、一回の施錠動作で全て施錠完了となる。
【００３３】請求項２に記載した、任意調整可能なタイマーの設定時間に関しては、住居者が短期不在の時は、６秒程度（６秒程度とは、ここでは住居者が所持する鍵で、自宅の複数鍵が、余裕を持って解錠できる時間範囲をいう。）にしておき、長期不在の場合は、設定時間を短めに４秒程度（４秒程度とは、ここでは住居者が所持する鍵で、自宅の複数錠が、急いで解錠できる時間範囲をいう。）にしておき、ピッキング解錠作業時間に猶予を与えないようにする。
【００３４】この様に時間設定をしておくことで、仮にピッキングにより上側の鍵が解錠されたとしても、下側の鍵をピッキング作業している間に、設定された時間で再び上側の鍵が施錠されるので、扉を開ける為には再び上側の鍵を解錠しなければならない為、莫大な時間と労力を費やさなければならず解錠が不可能になる。
【００３５】
【他の実施形態】
上記の形態では、タイマー２９の制限時間を調整する設置場所は、基本的に本電気錠の屋内側につけるが、本電気錠に装備するだけでなく、例えば、リード線を使用して、人目の付かない所の屋外に設置することも可能である。これにより長期外出の際は、屋外からの設定時間調整で、１秒などの更に短い設定時間にすることが可能になり、帰宅の際に６秒程度の解錠可能な設定時間に戻して解錠すればよい。
【００３６】
【発明の効果】
以上のように本発明は、請求項１において、一つの鍵をピッキング解錠して、設定された制限時間内で、もう片方の鍵をピッキング解錠しなければ、先に解錠した鍵が施錠されるので、再び解錠作業をしなければならず、従来の複数鍵と比較にならない程の手間と時間が掛かる為、高い防犯効果を奏する。
【００３７】請求項２は、上述のように構成しているので、上記請求項１記載の効果が確実に達成される。
【００３８】更に、本電気錠にはタイマーが搭載されているので、ピッキングに猶予を与えない時間に設定することで、扉を開ける為には再び上側の鍵を解錠しなければならない為、莫大な時間と労力を費やさなければならず解錠が不可能になり、格段に不正侵入防止効果が向上する。
【図面の簡単な説明】
【図１】本発明複数電気錠付近の一実施形態による施錠状態の屋外側正面切り欠き断面図である。
【図２】本発明複数電気錠
【図１】の屋内側外観図である。
【図３】本発明複数電気錠の施解錠駆動部分斜視図である。
【図４】本発明複数電気錠の施解錠駆動部品の分解斜視図である。
【図５】本発明複数電気錠の施解錠駆動部品の組立斜視図である。
【図６】図１を用いた、一つの電気錠（上部）の施解錠による状態遷移図で、（ａ）施錠状態、（ｂ）施解錠進行状態、（ｃ）解錠状態を示している。
【図７】本発明複数電気錠の一実施形態による電気回路図である。
【符号の説明】
１　鍵箱
２　鍵壁
３　取手
４、５　摺動板
４ａ、５ａ　軌道孔
４ｂ、５ｂ　カム溝
４ｃ、５ｃ　突起
４ｄ、５ｄ　突起
６、７　支持ピン
８、９　駆動ピン
１０、１１　シャフト
１２、１３　歯車
１４、１５　板バネ支持棒
１６、１７　板バネ
１８、１９　鍵シリンダ
２０、２１　シリンダカム
２２、２３　ラック歯車
２４　支持台
２５　第１開口端リミットスイッチ
２６　第２開口端リミットスイッチ
２７　第１終端リミットスイッチ
２８　第２終端リミットスイッチ
２９　タイマー
３１、３２　リレー
３１ａ、３２ｂ　リレーＡ接点
３１ｂ、３２ｂ　リレーＢ接点
３４、３５　閂部材
３６、３７　施解錠ツマミ
３８　設定時間調整ダイヤル
４０、４１　電動モータ
４２、４３　嵌合突起
４４、４５　係合リング
４６、４７　係合筒
４８、４９　軸孔
５０、５１　回転軸突起
５２、５３　固定支持棒
５４　電源コネクター
５５、５６　突起
【図１】
2004027481.tif 000003
【図２】
2004027481.tif 000004
【図３】
2004027481.tif 000005
【図４】
2004027481.tif 000006
【図５】
2004027481.tif 000007
【図６】
2004027481.tif 000008
【図７】
2004027481.tif 000009
【手続補正書】
【提出日】平成15年7月22日(2003.7.22)
【手続補正１】
【補正対象書類名】明細書
【補正対象項目名】全文
【補正方法】変更
【補正の内容】
【発明の詳細な説明】
【特許請求の範囲】
【請求項１】一つの扉に複数の電気鍵を設け、一つの鍵が解錠されてから、設定された制限時間以内に全ての鍵が解錠されなければ、先に解錠された鍵が再び施錠されることを特徴としたピッキング対策複数電気錠。
【請求項２】片方の鍵が解錠された時点で駆動する任意調整可能なタイマーと、複数の電気錠を駆動する電動駆動部と、電動駆動部による施錠動作を保持する為の自己保持回路と、タイマーの制限時間以内に全ての鍵が解錠されたかどうかを判別し、電動駆動部を制御する両解錠判別回路とを備えたことを特徴とする請求項１記載のピッキング対策複数錠。
【発明の詳細な説明】
【０００１】
【目的】複数錠を用いた電気制御により、ピッキング作業をされても安易に解錠されず、不正侵入を防止する電気錠を提供する。
【０００２】
【構成】複数の電気錠を駆動する電動駆動部と、電動駆動部による施錠動作を保持する為の自己保持回路、片方の鍵が解錠されたときに制限時間をカウントするタイマーと、制限時間以内に全ての鍵が解錠されたかどうかを判別する両解錠判別回路を備え、一つの鍵が解錠された時点でタイマーが駆動し制限時間以内に全ての鍵が解錠されないと、先に解錠された鍵が再び施錠されるピッキング対策複数電気錠。
【０００３】
【発明の属する技術分野】本発明は、一つの扉に複数の電気錠を取り付けてなるピッキング対策用の電気鍵に関するものである。
【０００４】
【従来の技術】従来、複数錠（以後複数とは２個として話しを進める）として、１つの扉に２個の機械式錠前を取り付けるものや、既存の１つの機械式錠前に新たに追加して補助錠を取り付ける方法、又は機械式錠前１個と電気式錠前１個を組み合わせたものが普及している。上記の方法は、不正侵入防止という目的で、解錠するのに手間がかかるという利点があり、防犯性を高める効果がある。
【０００５】
【発明が解決しようとする課題】しかしながらピッキング対策として考えた場合、これら上記では、１個の錠前を解錠するよりも多少の時間や手間が掛かっても、最終的に２個の錠前を解錠されれば開いて侵入されてしまう。本発明は、このようなピッキングによる不正侵入防止のため、１つの扉において、主に２つの電気錠を取り付けると共に、上記従来の問題を解決したピッキング対策用複数電気錠を提供する。
【０００６】
【課題を解決するための手段】この問題を解決するために、請求項１の発明は、一つの扉に複数の電気鍵を設け、一つの鍵が解錠されてから、設定された制限時間以内に全ての鍵が解錠されなければ、先に解錠された鍵が再び施錠されることを特徴とし、安易に解錠されずに不正侵入を防止するピッキング対策複数電気錠を提供する。
【０００７】請求項２の発明は、請求項１記載のピッキング対策複数錠において、片方の鍵が解錠された時点で駆動する任意調整可能なタイマーと、複数の電気錠を駆動する電動駆動部と、電動駆動部による施錠動作を保持する為の自己保持回路と、タイマーの制限時間以内に全ての鍵が解錠されたかどうかを判別し、電動駆動部を制御する両解錠判別回路とを備えたことを特徴とする。
【０００８】
【発明の実施の形態】本発明の実施の形態について、図１〜図７を用いて説明する。図１は複数電気錠付近の一実施形態による施錠状態の屋外側正面切り欠き断面図（取手３は、公知である為、断面図は図示しない。）を示し、図２は図１の屋内側外観図である。また、図３は複数電気錠の施解錠駆動部分斜視図であり、図４は複数電気錠の施解錠駆動部品の分解斜視図である。
【０００９】屋外側は、図１のように鍵シリンダ１８、１９と取手３が装備されている。また屋内側は、図２のように手動操作によって施錠、解錠をする施解錠ツマミ３６、３７と取手３と電源コネクター５４、及びタイマー２９と制限時間を調節する設定時間調整ダイヤル３８が装備されている。
【００１０】本発明の電気錠の実施形態例として図３、４で説明する。本発明の電気錠は、主に鍵シリンダと施解錠ツマミなどから構成される手動駆動部分と、モーターなどから構成される電動駆動部、リミットスイッチから構成される閂部材位置検出部、タイマーと、リレーのシーケンス回路からなる制御部から構成される。
【００１１】手動駆動部とは、図４において、屋外側から施解錠される鍵シリンダ１８、１９や屋内側からの施解錠ツマミ３６、３７の回転運動を利用した、手動で施解錠する部分をいう。手動駆動部は、図３における鍵シリンダ１８、１９に結合された嵌合突起４２、４３が、係合リング４４、４５と係合筒４６、４７に連結され構成されている。よって鍵シリンダ１８、１９に鍵を入れて回転させることにより、嵌合突起４２、４３が回転し、この回転に伴い係合リング４４、４５の突起５５、５６に引っかかり、係合筒４６、４７も回転し、シリンダカム２０、２１を円弧運動（図１のＡ、Ｂの方向への運動）させる。
【００１２】一方、屋内側には、図４の施解錠ツマミ３６、３７と接続されている回転軸突起５０、５１を鍵箱１の穴に貫通させ、シリンダカム２０，２１を鍵箱壁面内部側に重ね合わせ、更にシリンダカム２０、２１に開いている軸孔４８、４９にも貫通させる。これにより鍵箱内部側に回転軸突起５０、５１が現れる。その回転軸突起５０、５１には、固定支持棒５２、５３を通す穴が開いており、鍵壁２とシリンダカム２０、２１を、固定支持棒５２、５３によって、回転軸突起５０、５１の穴に通して支持する。これにより鍵箱内側の回転軸は、十字形状となり、図５の状態となる。係合筒４６、４７の底面は、十字形状の穴が開いており、支持棒５２、５３と回転軸突起５０、５１の組合わさった十字形状と結合する。
【００１３】この構造により鍵シリンダ１８、１９や、施解錠ツマミ３６、３７の手動施解錠動作により、シリンダカム２０、２１が円弧運動を行うことによって、摺動板４、５は水平運動（図１のａ、ｂの方向への運動）になり、閂部材３４、３５を突出（図１のＡ、ａへの運動）または退避（図１のＢ、ｂへの運動）させる。
【００１４】電動駆動部は、どちらか片方の鍵が解錠されて、制限時間に達したら、再び施錠させる。更に、片方の鍵の施錠し忘れを防止する為、両方の鍵が解錠状態から片方が手動施錠された時、もう片方の鍵を施錠させる。
【００１５】電動駆動部の施錠動作は、図３の電動モーター４０、４１のシャフト１０、１１に連結した歯車１２、１３とかみ合うラック歯車２２、２３を動作させることにより、閂部材３４、３５を突出させる。尚、電動モーター４０、４１は、通電時には反時計回りに回転し、不通電時には手動により両方向に回転する。
【００１６】閂部材位置検出部は、施錠状態から解錠動作直後に導通する図１における第１開口端リミットスイッチ２５と第２開口端リミットスイッチ２６（開口端とは、閂部材３４、３５が突出または退避するための四角孔付近の位置をいう）と、完全に解錠した状態に導通する第１終端リミットスイッチ２７、第２終端リミットスイッチ２８（終端とは閂部材３４、３５が完全に退避し、摺動板４，５が第１終端リミットスイッチ２７や第２終端リミットスイッチ２８に接触する位置をいう）からなる。
【００１７】シーケンス回路は、一つのタイマー２９と、各電気錠に１つずつ４つのＣ接点内蔵のリレー３１、３２を使用する。タイマー２９は、図２のようにタイマー本体に設定時間を調整する設定時間調整ダイヤル３８が内蔵されており、任意に時間設定できるようになっている。リレー３１、３２は、図１のように本電気錠内に内蔵し、施錠動作に伴う電動モーター４０、４１の動作を完全に施錠するまで駆動させる自己保持回路を形成させたり、両方の鍵が解錠されたかを判定する両解錠判定回路を形成する。
【００１８】本発明の電気錠の動作を更に詳しく説明するため、図６〜図７を使って説明する。図６（ａ）は施錠状態を示し、（ｂ）は片方上側の電気錠が解錠される途中状態、または施錠される途中の状態を示し、（ｃ）は完全に解錠された状態を示す。
【００１９】まず仮に上側の鍵を解錠する場合は、施錠状態（ａ）から、シリンダ鍵１８や、施解錠ピン３６によってシリンダカム２０が図６（ｂ）のＢ方向へ動き始める。それに伴って駆動ピン８がカム溝４ｂにはまって摺動板４を移動させ、図６（ｂ）のｂ方向へ移動する。この動作の途中に、第一開口端リミットスイッチ２５に突起４ｄが接触し、導通する。その後板バネ１６に突起４ｃが引っかかり、突起４ｃが板バネ１６の突起部分を越えて完全解錠状態（ｃ）になったところで摺動板４を保持し、終端リミットスイッチ２７を押し、解錠完了となる。もう片方の下側の鍵も同様の動作を行う。
【００２０】この状態遷移を電気的に説明する。図７は、本発明電気錠の一実施形態による電気回路図を示しており、１個のタイマーと２個のリレー及び各電気錠のリミットスイッチから構成される。
【００２１】図７のａ、ｃは両電気錠の自己保持回路、ｂ、ｄは電動駆動回路、ｅは両解錠判別回路になる。図７の３１、３２はリレーコイルに相当し、２９はタイマーコイルに相当する。それぞれのリレーの３１ａ、３２ａはＡ接点であり、通常接点が開いており、各コイルに通電すると接点が閉じる。また３１ｂ、３２ｂはＢ接点であり、通常接点が閉じており、各コイルに通電すると接点が開く。タイマー２９に通電すると設定時間をカウントし、カウント終了後接点を閉じる。
【００２２】自己保持回路ａ、ｃは、主に電気錠が完全施錠するまで電動駆動回路ｂ、ｄを起動し、電動モーター４０、４１を駆動させ続ける役目をする。両解錠判別回路ｅは、片方の電気錠のみ解錠状態になったときタイマー２９を起動し、両方の電気錠が、施錠状態か、解錠状態のときは起動しないシーケンス回路になっている。
【００２３】まず、図６の解錠途中状態（ｂ）の場合では、開口端リミットスイッチ２５が導通し、完全解錠状態（ｃ）になると終端リミットスイッチ２７も導通状態になるため、図７自己保持回路ａのリレー３１のコイルに通電し、３１ａの接点は全て閉じた状態になり、自己保持状態となる。
【００２４】図７の両解錠判別回路ｅは、接点３１ａが閉じ、３２ｂがＢ接点になっているため、タイマー２９のコイルが通電し、電動モーター４０、４１に直結しているタイマー接点が、設定時間後閉じる。従って、電動駆動回路ｂにおいて閉じた接点３１ａと閉じたタイマー接点を経由して、電動モーター４０に電流が流れて駆動する。電動モーター４１は、接点３２ａが閉じていないので駆動しない。
【００２５】つまり片方の電気錠が解錠された場合のみタイマーに通電し、設定時間経過後、解錠された電動モーターのみ駆動することになる。
【００２６】駆動した電動モーターの回転によって施錠動作に入り、図６（ｂ）の摺動板４は、かみ合っている歯車１２が反時計回りに回転する為、開口端側（図６（ｂ）のａ方向）へ移動する。よって終端リミットスイッチ２７は、摺動板４と離れる為、不導通となる。しかし第一開口端リミットスイッチ２５がまだ突起４ｄと接触しているため、図７の自己保持回路ａの接点２５が閉じて、かつ接点３１ａも閉じており、コイルに電流が流れ、自己保持状態が続いているので電動モーター４０はまだ駆動し続ける。
【００２７】板バネ１６の突起を越えて図６（ａ）の完全な施錠状態に戻った時、初めて第一開口端リミットスイッチ２５が不導通になり、自己保持回路ａが解除され電動モーター４０が停止する。
【００２８】また下側電気錠のみを解錠するときも同様に、解錠途中状態に第一開口端リミットスイッチ２６が導通になり、更に完全解錠状態に終端リミットスイッチ２８が導通するので、図７ｃのリレー３２のコイルに電流が流れ、全ての接点３２ａが閉じ、自己保持回路ｃが起動する。よって両解錠判定回路ｅの閉じた接点３２ａとＢ接点３１ｂを経由してタイマー２９のコイルが通電し、設定時間後タイマー接点が閉じて電動駆動部ｄの電動モーター４１が駆動する。
【００２９】施錠途中状態では、第一開口端リミットスイッチ２６が不導通になるまで自己保持回路ｃが起動しているので電動モーター４１は回り続け、不導通になると自己保持回路ｃが解除されて電動モーター４１は停止する。
【００３０】本発明の電気錠が両方とも完全に解錠されるためには、片方の電気錠が解錠されたことによりタイマーが起動し、あらかじめ設定された時間以内にもう片方の電気錠が解錠されなければならない。この場合の動作も図６、７を用いて説明する。
【００３１】片方の上側電気錠が解錠された状態、つまり図７の自己保持回路ａが起動して接点３１ａが閉じ、３１ｂが開いた状態において、両解錠判定回路ｅが起動し、タイマー２９が通電中の場合は、設定時間をカウントしている最中であり、まだタイマー接点を閉じないので電動モーターは回らない。設定時間内に下側電気錠を完全解錠することにより、第二開口端リミットスイッチ２６と第二終端リミットスイッチ２８が導通する為、図７の自己保持回路ｃが起動する。よって接点３２ａを全て閉じるが、両解錠判定回路ｅのＢ接点３１ｂ、３２ｂが、両方共開いてしまう為、タイマー２９は通電しなくなり、設定時間のカウントを停止し、タイマー接点は閉じず、両電動モーター４０，４１は回らない。よって両電気錠は、完全に解錠状態となる。
【００３２】両電気錠が解錠状態から施錠する場合は、どちらか一つの電気錠を施錠すれば良い。両解錠判定回路ｅは、両方の電気錠が解錠状態のとき、Ａ接点３１ａ、３２ａは接点が閉じた状態で、Ｂ接点３１ｂ、３２ｂは接点が開いた状態になっており、タイマー２９は通電していない。
【００３３】仮に上側電気錠を手動施錠する場合では、まず鍵を回し始めると第一終端リミット２７が不導通になり、完全に施錠されると第一開口端リミットスイッチ２５も不導通になると同時に上側電気錠の施錠が完了する。この瞬間図７の自己保持回路ａが解除され、リレー３１ａの接点は全て開き、３１ｂの接点は閉じる。
【００３４】上側電気錠が施錠状態になると、接点３２ａは閉じたままなので、両解錠判定回路ｅにおける３２ａと３１ｂを経由して、タイマー２９は、通電状態になる。従ってタイマー接点が閉じ、図７の電動駆動回路ｄが起動し、電動モーター４１が回る。これよりどちらかの電気錠を施錠することによって、もう片方の電気錠も施錠されることになり、一回の施錠動作で全て施錠完了となる。
【００３５】請求項２に記載した、任意調整可能なタイマーの設定時間に関しては、住居者が短期不在の時は、６秒程度（６秒程度とは、ここでは住居者が所持する鍵で、自宅の複数鍵が、余裕を持って解錠できる時間範囲をいう。）にしておき、長期不在の場合は、設定時間を短めに４秒程度（４秒程度とは、ここでは住居者が所持する鍵で、自宅の複数錠が、急いで解錠できる時間範囲をいう。）にしておき、ピッキング解錠作業時間に猶予を与えないようにする。
【００３６】この様に時間設定をしておくことで、仮にピッキングにより上側の鍵が解錠されたとしても、下側の鍵をピッキング作業している間に、設定された時間で再び上側の鍵が施錠されるので、扉を開ける為には再び上側の鍵を解錠しなければならない為、莫大な時間と労力を費やさなければならず解錠が不可能になる。
【００３７】
【他の実施形態】上記の形態では、タイマー２９の制限時間を調整する設置場所は、基本的に本電気錠の屋内側につけるが、本電気錠に装備するだけでなく、例えば、リード線を使用して、人目の付かない所の屋外に設置することも可能である。これにより長期外出の際は、屋外からの設定時間調整で、１秒などの更に短い設定時間にすることが可能になり、帰宅の際に６秒程度の解錠可能な設定時間に戻して解錠すればよい。
【００３８】
【発明の効果】以上のように本発明は、請求項１において、一つの鍵をピッキング解錠して、設定された制限時間内で、もう片方の鍵をピッキング解錠しなければ、先に解錠した鍵が施錠されるので、再び解錠作業をしなければならず、従来の複数鍵と比較にならない程の手間と時間が掛かる為、高い防犯効果を奏する。
【００３９】請求項２は、上述のように構成しているので、上記請求項１記載の効果が確実に達成される。
【００４０】更に、本電気錠にはタイマーが搭載されているので、ピッキングに猶予を与えない時間に設定することで、扉を開ける為には再び上側の鍵を解錠しなければならない為、莫大な時間と労力を費やさなければならず解錠が不可能になり、格段に不正侵入防止効果が向上する。
【図面の簡単な説明】
【図１】本発明複数電気錠付近の一実施形態による施錠状態の屋外側正面切り欠き断面図である。
【図２】本発明複数電気錠
【図１】の屋内側外観図である。
【図３】本発明複数電気錠の施解錠駆動部分斜視図である。
【図４】本発明複数電気錠の施解錠駆動部品の分解斜視図である。
【図５】本発明複数電気錠の施解錠駆動部品の組立斜視図である。
【図６】図１を用いた、一つの電気錠（上部）の施解錠による状態遷移図で、（ａ）施錠状態、（ｂ）施解錠進行状態、（ｃ）解錠状態を示している。
【図７】本発明複数電気錠の一実施形態による電気回路図である。
【符号の説明】
１鍵箱
２鍵壁
３取手
４、５摺動板
４ａ、５ａ軌道孔
４ｂ、５ｂカム溝
４ｃ、５ｃ突起
４ｄ、５ｄ突起
６、７支持ピン
８、９駆動ピン
１０、１１シャフト
１２、１３歯車
１４、１５板バネ支持棒
１６、ｌ７板バネ
１８、１９鍵シリンダ
２０、２１シリンダカム
２２、２３ラック歯車
２４支持台
２５第１開口端リミットスイッチ
２６第２開口端リミットスイッチ
２７第１終端リミットスイッチ
２８第２終端リミットスイッチ
２９タイマー
３１、３２リレー
３１ａ、３２ｂリレーＡ接点
３１ｂ、３２ｂリレーＢ接点
３４、３５閂部材
３６、３７施解錠ツマミ
３８設定時間調整ダイヤル
４０、４１電動モーター
４２、４３嵌合突起
４４、４５係合リング
４６、４７係合筒
４８、４９軸孔
５０、５１回転軸突起
５２、５３固定支持棒
５４電源コネクター
５５、５６突起